(57)【要約】【課題】無線映像音声情報共有システム及び方法を提供する。【解決手段】本発明の無線映像音声情報共有システム及び方法は、会議に応用され、少なくとも１つのユーザー端の各ユーザーデバイスに、使用者がタッチジェスチャーにより少なくとも１つのユーザー端の各ユーザーデバイスの操作制御を行うことによりデバイス操作が実行される。情報受信端の情報受信装置が前記少なくとも１つのユーザー端のユーザーデバイスの操作情報を受信すると、前記ユーザーデバイスから出力される映像音声信号に対する解凍処理が行われると共に、前記少なくとも１つのユーザー端の他のユーザーデバイスの操作情報が受信されるまで出力され、且つ前記他のユーザーデバイスから出力される映像音声信号に対して解凍処理が行われると共に出力され、使用者が相互にタッチ操作を行うことにより無線映像音声情報の共有が可能となる。【選択図】図１
2020102828.tif 000002
【特許請求の範囲】
【請求項１】
会議に応用される無線映像音声情報共有方法であって、
少なくとも１つのユーザー端の各ユーザーデバイスが情報受信端の情報受信装置と接続されているか否かの確認がなされ、圧縮エンコードパケット映像信号である映像音声信号の送信が行われる開始動作実行工程と、
前記少なくとも１つのユーザー端の前記各ユーザーデバイスに、使用者がタッチジェスチャーにより前記少なくとも１つのユーザー端の前記各ユーザーデバイスの操作制御を行い、デバイス操作が実行されるタッチジェスチャー操作動作実行工程と、
前記情報受信端の前記情報受信装置が、前記少なくとも１つのユーザー端の前記各ユーザーデバイスから出力される映像音声信号を無線方式により受信する映像音声表示動作実行工程と、
を含むことを特徴とする無線映像音声情報共有方法。
【請求項２】
前記情報受信端の前記情報受信装置が前記少なくとも１つのユーザー端のうちの１つのユーザー端のユーザーデバイスのデバイス操作を受信すると、前記ユーザー端の前記ユーザーデバイスから出力される映像音声信号に対する解凍処理が行われ、且つ解凍処理された映像音声信号が表示装置に出力されると共に、前記情報受信端の前記情報受信装置が前記少なくとも１つのユーザー端のうちの他のユーザー端の他のユーザーデバイスの操作情報を受信するまで前記表示装置に表示されることを特徴とする請求項１に記載の無線映像音声情報共有方法。
【請求項３】
前記情報受信端の前記情報受信装置は、受信した前記少なくとも１つのユーザー端のうちの少なくとも１つからのデバイス操作及び前記映像音声信号の優先順位に基づいて解凍処理を実行し、解凍処理された映像音声信号を表示装置に出力して表示することを特徴とする請求項１に記載の無線映像音声情報共有方法。
【請求項４】
会議に応用される無線映像音声情報共有方法であって、
少なくとも１つのユーザー端の各ユーザーデバイスが情報受信端の情報受信装置に接続されているか否かの確認がなされ、圧縮エンコードパケット映像信号である映像音声信号の送信が行われる開始動作実行工程と、
前記少なくとも１つのユーザー端の前記各ユーザーデバイスに、使用者がタッチジェスチャーにより前記少なくとも１つのユーザー端の前記各ユーザーデバイスの操作制御を行い、デバイス操作が実行されるタッチジェスチャー操作動作実行工程と、
前記情報受信端の前記情報受信装置が、前記少なくとも１つのユーザー端の前記各ユーザーデバイスから出力される映像音声信号を無線方式により受信する映像音声表示動作実行工程と、を含み、
前記情報受信端の前記情報受信装置が前記少なくとも１つのユーザー端の前記各ユーザーデバイスのうちの１つのユーザーデバイスの操作情報を受信すると、前記ユーザーデバイスから出力される映像音声信号に対する解凍処理が行われ、且つ解凍処理された映像音声信号が表示装置に出力されると共に、前記少なくとも１つのユーザー端の前記各ユーザーデバイスのうちの他のユーザーデバイスの操作情報を受信するまで前記表示装置に表示され、且つ前記他のユーザーデバイスから出力される映像音声信号に対して解凍処理が行われ、解凍処理された映像音声信号が前記表示装置に出力されて表示され、使用者が相互にタッチ操作を行うことにより無線映像音声情報の共有が可能となることを特徴とする無線映像音声情報共有方法。
【請求項５】
会議に応用される無線映像音声情報共有方法であって、
情報受信端の情報受信装置は、少なくとも１つのユーザー端の各ユーザーデバイスから出力される映像音声信号を無線方式により受信すると共に前記少なくとも１つのユーザー端の前記ユーザーデバイスのうちの１つの映像音声信号を表示装置に出力する工程、を含み、
前記情報受信端の前記情報受信装置が、前記少なくとも１つのユーザー端のユーザーデバイスの使用者によるタッチジェスチャーによって生成されたデバイス操作を受信すると共に、前記情報受信端の前記情報受信装置が、前記少なくとも１つのユーザー端のうちの他のユーザー端の他のユーザーデバイスの操作情報を受信するまで前記表示装置に対して前記ユーザーデバイスの映像音声信号を出力することを特徴とする無線映像音声情報共有方法。
【請求項６】
会議に応用される無線映像音声情報共有システムであって、
ＨＤＭＩ及びＵＳＢのうちの少なくとも１つのインターフェースに符合する映像音声信号を受信し、且つＩＥＥＥ８０２．１１プロトコルで送信する少なくとも１つのユーザーデバイスと、
前記少なくとも１つのユーザーデバイスの各々から出力される映像音声信号を受信すると共に、ＨＤＭＩ及びＵＳＢのうちの少なくとも１つのインターフェースに符合する映像音声信号を表示装置に出力する情報受信装置と、
を備えることを特徴とする無線映像音声情報共有システム。
【請求項７】
前記少なくとも１つのユーザーデバイスの各々は、まず前記情報受信装置とマッチングされて送信チャンネルが選択され、且つ前記情報受信装置が前記表示装置の表示係数を検知すると共に、前記表示係数を前記少なくとも１つのユーザーデバイスの各々に送信し、前記少なくとも１つのユーザーデバイスの各々は、表示係数及び映像音声信号の送信モードに基づいて映像音声信号の圧縮率及びフレームレートの調整を行って映像音声信号を出力することを特徴とする請求項６に記載の無線映像音声情報共有システム。
【請求項８】
前記ユーザーデバイスは、
使用者のタッチジェスチャーを感知することにより前記ユーザーデバイスの操作制御を行い、デバイス操作の操作情報を生成させるタッチジェスチャー／感知制御モジュールと、
前記タッチジェスチャー／感知制御モジュールに応じて、前記少なくとも１つのユーザーデバイスに起動／終了（start/stop）、停止／再開（pause/resume）、メニュー（menu）、終了メニュー（exit menu）等の操作を実行させ、且つＨＤＭＩ及びＵＳＢのうちの少なくとも１つのインターフェースに符合する映像音声信号を受信すると共に送信する映像音声受信モジュールと、
前記映像音声受信モジュールからの前記映像音声信号を受信した後、前記映像音声信号に対する圧縮エンコードを行い、圧縮エンコード映像音声信号を送信する映像圧縮／パケット化モジュールと、
パケット化された映像音声信号の圧縮エンコードをＩＥＥＥ８０２．１１プロトコルで送信し、圧縮エンコードパケット映像音声信号である映像音声信号を前記情報受信装置に送信する無線送信モジュールと、
を備えることを特徴とする請求項６に記載の無線映像音声情報共有システム。
【請求項９】
前記情報受信装置は、
ＩＥＥＥ８０２．１１プロトコル規格で圧縮エンコードパケット映像音声信号である映像音声信号を受信し、且つ受信した映像音声信号を送信する無線受信モジュールと、
前記無線受信モジュールからの前記映像音声信号に対して受信パケット処理及び映像音声信号の解凍処理を行うと共に処理後の映像音声信号を送信するパケット処理／映像解凍モジュールと、
前記パケット処理／映像解凍モジュールからの前記映像音声信号を受信し、ＨＤＭＩ及びＵＳＢのうちの少なくとも１つのインターフェースに符合する映像音声信号を前記表示装置に出力する映像音声出力モジュールと、
を備えることを特徴とする請求項８に記載の無線映像音声情報共有システム。
【請求項１０】
前記ユーザーデバイス及び前記情報受信装置の無線送信構成は、ＩＥＥＥ８０２．１１プロトコル規格のうちの少なくとも１つであることを特徴とする請求項９に記載の無線映像音声情報共有システム。
【発明の詳細な説明】
【技術分野】
【０００１】
本発明は、無線映像音声情報共有システム及び方法（A wireless audiovisual information sharing system and method）に関し、より詳しくは、会議に応用される無線映像音声情報共有システム及び方法であり、使用者がタッチジェスチャーにより前記少なくとも１つのユーザー端の前記各ユーザーデバイスの操作制御を行ってデバイス操作を実行し、情報受信端の情報受信装置が前記少なくとも１つのユーザー端のユーザーデバイスの操作情報を受信すると、前記ユーザーデバイスから出力される映像音声信号に対する解凍処理が行われると共に、前記少なくとも１つのユーザー端の他のユーザーデバイスの操作情報が受信されるまで出力され、使用者が相互にタッチ操作を行うことにより無線映像音声情報の共有が可能となる無線映像音声情報共有システム及び方法に関する。
【背景技術】
【０００２】
近年、無線送受信技術の普及により、無線映像音声送受信技術を使用した映像音声の送受信が便利になっている。
【発明の概要】
【発明が解決しようとする課題】
【０００３】
ところが、依然として物理キーを使用して設備の制御を行っているため、キーを使用することで設備の外観の設計が制限された。また、物理キーを利用するため操作の多様性及び利便性も制限され、使用者は時間をかけて操作を学習しなければならなかった。
なお、従来の多くの映像音声送受信装置の使用時には、ソフトウェアをインストールしなければ前記映像音声送受信装置の機能を実行できなかった。特に、現在多くの会社では社内の機密保持のため、認証されたソフトウェアのみインストール可能であり、又はどのようなソフトウェアでも勝手にインストールできなかった。このため、インストールして実行する方式では使用者にとって困難で不便であり、素早く便利に使えるようにするという基本要件も満たせなかった。
そこで、本発明者は上記の欠点が改善可能と考え、鋭意検討を重ねた結果、合理的設計で上記の課題を効果的に改善する本発明の無線映像音声情報共有システム及び方法の提案に到った。
本発明は、以上の実情に鑑みなされたものであって、上記課題解決のため、本発明の主目的は、無線映像音声情報共有システム及び方法を提供することにある。
【課題を解決するための手段】
【０００４】
上記課題を解決するために、本発明のある態様の無線映像音声情報共有システム及び方法は、会議に応用される無線映像音声情報共有システム及び方法であって、少なくとも１つのユーザー端の各ユーザーデバイスに、使用者がタッチジェスチャーにより少なくとも１つのユーザー端の各ユーザーデバイスの操作制御を行うことによりデバイス操作が実行される。情報受信端の情報受信装置が前記少なくとも１つのユーザー端のユーザーデバイスの操作情報を受信すると、前記ユーザーデバイスから出力される映像音声信号に対する解凍処理が行われ、解凍処理された映像音声信号が表示装置に出力され、前記少なくとも１つのユーザー端の他のユーザーデバイスの操作情報が受信されるまで前記表示装置で表示される。
【０００５】
本発明の別の態様は、会議に応用される無線映像音声情報共有システム及び方法であって、本発明の無線映像音声情報共有システムを利用して無線映像音声情報共有方法を実行する場合、まず、開始動作実行工程において、少なくとも１つのユーザー端の各ユーザーデバイスが情報受信端の情報受信装置と接続されているか否かの確認がなされ、圧縮エンコードパケット映像信号である映像音声信号の送信が行われる。次は、タッチジェスチャー操作動作実行工程において、前記少なくとも１つのユーザー端の前記各ユーザーデバイスに、使用者がタッチジェスチャーにより前記少なくとも１つのユーザー端の前記各ユーザーデバイスの操作制御を行い、デバイス操作が実行される。続いて、映像音声表示動作実行工程において、前記情報受信端の前記情報受信装置が、前記少なくとも１つのユーザー端の前記各ユーザーデバイスから出力される映像音声信号を無線方式により受信する。情報受信端の情報受信装置が前記少なくとも１つのユーザー端のユーザーデバイスの操作情報を受信すると、前記ユーザーデバイスから出力される映像音声信号に対する解凍処理が行われ、解凍処理された映像音声信号が表示装置に出力され、前記少なくとも１つのユーザー端の他のユーザーデバイスの操作情報が受信されるまで前記表示装置で表示され、前記他のユーザーデバイスから出力される映像音声信号に対する解凍処理が行われ、解凍処理された映像音声信号が前記表示装置に出力されて表示され、使用者が相互にタッチ操作を行うことにより無線映像音声情報の共有が可能となる。
【０００６】
本発明の無線映像音声傳情報共有システムは、タッチジェスチャーにより操作制御が行われるため、この技術によりユーザーエクスペリエンスが向上し、例えば、会議においてインタラクティブにプレゼンテーション等を行える。
【０００７】
上述の目的のため、本発明は無線映像音声情報共有システムを提供する。前記無線映像音声情報共有システムは、ＨＤＭＩ及びＵＳＢのうちの少なくとも１つのインターフェースに符合する映像音声信号を受信し、且つＩＥＥＥ８０２．１１通信プロトコル等の無線送信プロトコルで、前記映像音声信号を出力する少なくとも１つのユーザーデバイスと、各ユーザーデバイスから出力される映像音声信号を受信すると共にＨＤＭＩ及びＵＳＢのうちの少なくとも１つのインターフェースに符合する映像音声信号を選択的に表示装置に出力する情報受信装置と、を備える。各ユーザーデバイスはまず情報受信装置とマッチングされて送信チャンネルが選択され、且つ情報受信装置が表示装置の表示係数を検知すると共に表示係数を各ユーザーデバイスに送信する。各ユーザーデバイスは表示係数及び映像音声信号の送信モードに基づいて映像音声信号の圧縮率及びフレームレートの調整を行って映像音声信号を出力する。
【０００８】
ユーザーデバイスは、タッチジェスチャー／感知制御モジュールと、映像音声受信モジュールと、映像圧縮／パケット化モジュールと、無線送信モジュールと、を備える。前記タッチジェスチャー／感知制御モジュールは使用者のタッチジェスチャーを感知し、ユーザーデバイスに対して起動／終了（start/stop）、停止／再開（pause/resume）、メニュー（menu）、終了メニュー（exit menu）等の操作を実行する。
【０００９】
また、前記映像音声受信モジュールはタッチジェスチャー／感知制御モジュールに応じて、ユーザーデバイスに起動／終了（start/stop）、停止／再開（pause/resume）、メニュー（menu）、終了メニュー（exit menu）等の操作を実行させ、且つＨＤＭＩ及びＵＳＢのうちの少なくとも１つのインターフェースに符合する映像音声信号を受信すると共に前記映像音声信号を映像圧縮／パケット化モジュールに送信する。
【００１０】
また、前記映像圧縮／パケット化モジュールは映像音声受信モジュールからの映像音声信号を受信した後、映像音声信号の圧縮エンコードを行い、圧縮エンコード映像音声信号を無線送信モジュールに送信する。
【００１１】
なお、前記無線送信モジュールは、パケット化された映像音声信号の圧縮エンコードをＩＥＥＥ８０２．１１プロトコルで送信し、圧縮エンコードパケット映像音声信号である映像音声信号を情報受信装置に送信する。
【００１２】
情報受信装置は無線受信モジュールと、パケット処理／映像解凍モジュールと、映像音声出力モジュールと、を備える。
【００１３】
また、情報受信装置の前記無線受信モジュールは、例えば、ＩＥＥＥ８０２．１１通信プロトコル規格で圧縮エンコードパケット映像音声信号である映像音声信号を受信すると共に受信した映像音声信号をパケット処理／映像解凍モジュールに送信する。
【００１４】
また、前記パケット処理／映像解凍モジュールは映像音声信号に対して受信パケット処理及び進行映像音声信号の解凍処理を行い、且つ処理後の映像音声信号を映像音声出力モジュールに送信する。
【００１５】
また、前記映像音声出力モジュールはＨＤＭＩ及びＵＳＢのうちの少なくとも１つのインターフェースに符合する映像音声信号を表示装置に出力する。
【００１６】
ここで、ユーザーデバイス及び情報受信装置の無線送信は、例えば、ＩＥＥＥ８０２．１１規格として構成される。
【００１７】
また、実際の需要に応じて、情報受信装置の構成では、音声出力（audio out）のための音声（Audio）モジュール及び外部映像ソースを受信するためのＨＤＭＩ切り換え（Switch）モジュールを更に備える。
【００１８】
本発明の無線映像音声情報共有システムを利用して無線映像音声情報共有方法を実行する場合、まず、開始動作実行工程において、少なくとも１つのユーザー端の各ユーザーデバイスが情報受信端の情報受信装置と接続されているか否かの確認がなされ、圧縮エンコードパケット映像信号である映像音声信号の送信が行われる。次は、タッチジェスチャー操作動作実行工程において、前記少なくとも１つのユーザー端の前記各ユーザーデバイスに、使用者がタッチジェスチャーにより前記少なくとも１つのユーザー端の前記各ユーザーデバイスの操作制御を行い、デバイス操作が実行される。続いて、映像音声表示動作実行工程において、前記情報受信端の前記情報受信装置が、前記少なくとも１つのユーザー端の前記各ユーザーデバイスから出力される映像音声信号を無線方式により受信する。情報受信端の情報受信装置が前記少なくとも１つのユーザー端のユーザーデバイスの操作情報を受信すると、前記ユーザーデバイスから出力される映像音声信号に対する解凍処理が行われ、解凍処理された映像音声信号が表示装置に出力され、前記少なくとも１つのユーザー端の他のユーザーデバイスの操作情報が受信されるまで前記表示装置で表示され 、前記他のユーザーデバイスから出力される映像音声信号に対する解凍処理が行われ、解凍処理された映像音声信号が前記表示装置に出力されて表示され、使用者が相互にタッチ操作を行うことにより無線映像音声情報の共有が可能となる。
【００１９】
更に、前記映像音声信号は音声周波数、画像、或いは映像音声番組である。
【発明の効果】
【００２０】
本発明に係る複数対１の無線映像音声送受信技術では、タッチジェスチャーにより操作制御が行われるため、この技術によりユーザーエクスペリエンスが向上し、例えば、会議においてインタラクティブにプレゼンテーション等を行える。
【図面の簡単な説明】
【００２１】
【図１】本発明に係る無線映像音声情報共有システムのシステム仕組み及び作動状況を説明するシステム概略図である。
【図２】図１に示す本発明に係る無線映像音声情報共有システムにより無線映像音声送信方法を行う工程を説明するフローチャートである。
【図３】本発明の一実施形態に係る無線映像音声情報共有システムの仕組み及び作動状況を説明する概略図である。
【図４】図３に示す本発明の一実施形態に係る無線映像音声情報共有システムにより無線映像音声送信方法を行う工程を説明するフローチャートである。
【図５Ａ】図３に示す本発明の一実施形態に係る無線映像音声情報共有システムを実行する状況を説明する概略図である。
【図５Ｂ】図３に示す本発明の一実施形態に係る無線映像音声情報共有システムを実行する状況を説明する概略図である。
【図５Ｃ】図３に示す本発明の一実施形態に係る無線映像音声情報共有システムを実行する状況を説明する概略図である。
【発明を実施するための形態】
【００２２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００２３】
図１は本発明に係る無線映像音声情報共有システムのシステム仕組み及び作動状況を説明するシステム概略図である。図１に示されるように、無線映像音声送信システム１は、ＨＤＭＩ及びＵＳＢのうちの少なくとも１つのインターフェースに符合する映像音声信号を受信すると共に、ＩＥＥＥ８０２．１１通信プロトコル等で前記映像音声信号を出力する少なくとも１つのユーザーデバイス２と、各送信装置ないし各ユーザーデバイス２から出力される映像音声信号を受信すると共に、ＨＤＭＩ及びＵＳＢのうちの少なくとも１つのインターフェースに符合する映像音声信号を選択的に表示装置４に出力する情報受信装置３と、を備える。各ユーザーデバイス２はまず情報受信装置３とマッチングされて送信チャンネルが選択され、且つ情報受信装置３が表示装置４の表示係数を検知すると共に、表示係数を各ユーザーデバイス２に送信する。各ユーザーデバイス２は表示係数及び映像音声信号の送信モードに基づいて映像音声信号の圧縮率及びフレームレートの調整を行って映像音声信号を出力する。
【００２４】
ユーザーデバイス２は、タッチジェスチャー／感知制御モジュール２１と、映像音声受信モジュール２２と、映像圧縮／パケット化モジュール２３と、無線送信モジュール２４と、を少なくとも備える。前記タッチジェスチャー／感知制御モジュール２１は使用者のタッチジェスチャーを感知し、ユーザーデバイスに対して起動／終了（start/stop）、停止／再開（pause/resume）、メニュー（menu）、終了メニュー（exit menu）等の操作を実行する。
【００２５】
ここで、使用者が片手でユーザーデバイス２の透光性の外ケース（図示せず）に触れると、タッチジェスチャー／感知制御モジュール２１により使用者のタッチジェスチャーが感知される。換言すれば、使用者はタッチジェスチャーによりユーザーデバイス２の操作制御を行ってデバイス操作を実行し、タッチジェスチャー（touch）によるタッチ操作で映像音声情報の共有（share）という目的を達成させる。
【００２６】
本発明における「タッチ操作で共有」の定義及び意味は、「使用者がタッチジェスチャーによりユーザーデバイス２を操作制御し、デバイス操作を実行し、タッチジェスチャー（touch）によるタッチ操作映像音声情報の共有（share）を達成させる」ことである。
【００２７】
前記映像音声受信モジュール２２はタッチジェスチャー／感知制御モジュール２１に応じて、ユーザーデバイス２に起動／終了（start/stop）、停止／再開（pause/resume）、メニュー（menu）、終了メニュー（exit menu）等の操作を実行させ、且つＨＤＭＩ及びＵＳＢのうちの少なくとも１つのインターフェースに符合する映像音声信号を受信すると共に、前記映像音声信号を映像圧縮／パケット化モジュール２３に送信する。
【００２８】
また、前記映像圧縮／パケット化モジュール２３は映像音声受信モジュール２２からの映像音声信号を受信した後、映像音声信号に対する圧縮エンコードを行う。前記映像圧縮／パケット化モジュール２３は圧縮エンコード映像音声信号を無線送信モジュール２４に送信する。
【００２９】
前記無線送信モジュール２４はパケット化された映像音声信号の圧縮エンコードをＩＥＥＥ８０２．１１プロトコルで送信し、圧縮エンコードパケット映像音声信号である映像音声信号を情報受信装置３に送信する。
【００３０】
情報受信装置３は、無線受信モジュール３１と、パケット処理／映像解凍モジュール３２と、映像音声出力モジュール３３と、を備える。情報受信装置３の前記無線受信モジュール３１は、例えば、ＩＥＥＥ８０２．１１通信プロトコル規格で圧縮エンコードパケット映像音声信号である映像音声信号を受信し、且つ受信した映像音声信号をパケット処理／映像解凍モジュール３２に送信する。
【００３１】
前記パケット処理／映像解凍モジュール３２は映像音声信号に対する受信パケット処理及び進行映像音声信号の解凍処理を行い、且つ処理後の映像音声信号を映像音声出力モジュール３３に送信する。
【００３２】
前記映像音声出力モジュール３３はＨＤＭＩ及びＵＳＢのうちの少なくとも１つのインターフェースに符合する映像音声信号を表示装置４に出力する。ここで、ユーザーデバイス２及び情報受信装置３の無線送信は、例えば、ＩＥＥＥ８０２．１１規格として構成される。また、実際の需要に応じて、情報受信装置３の構成では、音声出力（audio out）のための音声（Audio）モジュール及び外部映像ソースを受信するためのＨＤＭＩ切り換え（Switch）モジュールを更に備える。
【００３３】
次に、図２は図１に示す本発明の無線映像音声情報共有システムにより無線映像音声送信方法を行う工程を説明するフローチャートである。図２に示されるように、まず、工程１０１において開始動作実行工程が実行される。少なくとも１つのユーザー端の各ユーザーデバイス２が情報受信端の情報受信装置３に接続されているか否かの確認が成され、圧縮エンコードパケット映像信号である映像音声信号の送信が実行される。続いて工程１０２に進む。
【００３４】
工程１０２においては、タッチジェスチャー操作動作が実行される。前記少なくとも１つのユーザー端の前記各ユーザーデバイス２に、使用者がタッチジェスチャーにより前記少なくとも１つのユーザー端の前記各ユーザーデバイス２の操作制御を行うと、デバイス操作が実行される。続いて工程１０３に進む。
【００３５】
続いて、工程１０３において、映像音声表示動作が実行される。前記情報受信端の前記情報受信装置３は無線方式により前記少なくとも１つのユーザー端の前記各ユーザーデバイス２から出力される映像音声信号を受信する。情報受信端の情報受信装置３が前記少なくとも１つのユーザー端のユーザーデバイス２の操作情報を受信すると、前記ユーザーデバイス２から出力される映像音声信号に対する解凍処理が行われ、且つ解凍処理された映像音声信号が表示装置４に出力されると共に、前記少なくとも１つのユーザー端の他のユーザーデバイス２の操作情報が受信されるまで前記表示装置４で表示され、且つ前記他のユーザーデバイス２から出力される映像音声信号に対する解凍処理が行われ、解凍処理された映像音声信号が前記表示装置４に出力されて表示され、使用者が相互にタッチ操作を行うことにより無線映像音声情報の共有が可能となる。
【００３６】
図１と図２に示すように、本発明に係る無線映像音声情報共有システム及び方法は、使用時間順に１つ以上の映像音声信号をデバイスにリアルタイムに送信する。本技術の応用分野は複数対１の映像音声送信が必要な場面であり、例えば、オフィスでの多人数が参加するプレゼンテーションにおいて１人の映像音声信号を表示する場面等である。
【００３７】
また、図３は本発明の一実施形態に係る無線映像音声情報共有システムの仕組み及び作動状況を説明する概略図である。図３に示されるように、情報受信端の情報裝置３は無線方式により少なくとも１つの送信端の各ユーザーデバイス２から出力される映像音声信号を受信し、且つ送信端の少なくとも１つのユーザーデバイス２のうちの１つの映像音声信号を表示装置４に選択的に出力する。ユーザーデバイス２ａの使用者はタッチジェスチャーにより前記少なくとも１つのユーザー端の前記ユーザーデバイス２ａの操作制御を行ってデバイス操作１４０を実行させる。
【００３８】
情報受信端の情報受信装置３がユーザーデバイス２ａのデバイス操作１４０を受信すると、ユーザーデバイス２ａの映像音声信号が表示装置４に出力される。前記情報受信端の前記情報受信装置３がユーザーデバイス２ａから送信されるデバイス操作１４０を受信すると、前記ユーザーデバイス２ａから出力される映像音声信号に対する解凍処理が行われ、解凍処理された映像音声信号が表示装置４に出力されると共に、前記受信端の前記受信裝置３が他のユーザーデバイス２からの操作情報を順に受信するまで前記表示装置４で表示され、且つ前記他のユーザーデバイス２から出力される映像音声信号に対する解凍処理が行われ、解凍処理された映像音声信号が前記表示装置４に出力されて表示され、使用者が相互にタッチ操作を行うことにより無線映像音声情報の共有が可能となる。
【００３９】
ユーザーデバイス２は、タッチジェスチャー／感知制御モジュール２１と、映像音声受信モジュール２２と、映像圧縮／パケット化モジュール２３と、無線送信モジュール２４と、を少なくとも備える。前記タッチジェスチャー／感知制御モジュール２１は使用者のタッチジェスチャーを感知して前記ユーザーデバイス２ａの操作制御を行い、デバイス操作１４０の操作情報を生成し、ユーザーデバイス２ａに対して起動／終了（start/stop）、停止／再開（pause/resume）、メニュー（menu）、終了メニュー（exit menu）等の操作を実行する。
【００４０】
ここで、使用者が片手でユーザーデバイス２及び２ａの透光性の外ケース（図示せず）に触れると、タッチジェスチャー／感知制御モジュール２１により使用者のタッチジェスチャーが感知される。換言すれば、使用者がタッチジェスチャーによりユーザーデバイス２及び２ａの操作制御を行ってデバイス操作を実行し、タッチジェスチャー（touch）によるタッチ操作で映像音声情報の共有（share）という目的を達成させる。
【００４１】
前記映像音声受信モジュール２２はタッチジェスチャー／感知制御モジュール２１に応じて、送信裝置ないしユーザーデバイス２に起動／終了（start/stop）、停止／再開（pause/resume）、メニュー（menu）、終了メニュー（exit menu）等の操作を実行させ、且つＨＤＭＩ及びＵＳＢのうちの少なくとも１つのインターフェースに符合する映像音声信号を受信すると共に、前記映像音声信号を映像圧縮／パケット化モジュール２３に送信する。
【００４２】
また、前記映像圧縮／パケット化モジュール２３は映像音声受信モジュール２２からの映像音声信号を受信した後、映像音声信号に対する圧縮エンコードを行い、前記映像圧縮／パケット化モジュール２３は圧縮エンコード映像音声信号を無線送信モジュール２４に送信する。
【００４３】
また、前記無線送信モジュール２４はパケット化された映像音声信号の圧縮エンコードをＩＥＥＥ８０２．１１プロトコルで送信し、圧縮エンコードパケット映像音声信号である映像音声信号を情報受信装置３に送信する。情報受信装置３は無線受信モジュール３１と、パケット処理／映像解凍モジュール３２と、映像音声出力モジュール３３と、を備える。情報受信装置３の前記無線受信モジュール３１は、例えば、ＩＥＥＥ８０２．１１通信プロトコル規格で圧縮エンコードパケット映像音声信号である映像音声信号を受信し、且つ受信した映像音声信号をパケット処理／映像解凍モジュール３２に送信する。
【００４４】
前記パケット処理／映像解凍モジュール３２は映像音声信号に対する操作受信パケット処理及び進行映像音声信号の解凍処理を実行し、且つ処理後の映像音声信号を映像音声出力モジュール３３に送信する。
【００４５】
前記映像音声出力モジュール３３はＨＤＭＩ及びＵＳＢのうちの少なくとも１つのインターフェースに符合する映像音声信号を表示装置４に出力する。
【００４６】
ここで、ユーザーデバイス２ａ、２及び情報受信装置３の無線送信はＩＥＥＥ８０２．１１プロトコル規格として構成される。
【００４７】
また、実際の需要に応じて、情報受信装置３の構成では、音声出力（audio out）のための音声（Audio）モジュール及び外部映像ソースを受信するためのＨＤＭＩ切り換え（Switch）モジュールを更に備える。
【００４８】
さらに、図４は図３に示す本発明の一実施形態に係る無線映像音声情報共有システムにより無線映像音声送信方法を行う工程を説明するフローチャートである。図４に示されるように、まず、工程２０１において、開始動作実行工程が実行される。少なくとも１つのユーザー端の各ユーザーデバイス２及び２ａが情報受信端の情報受信装置３に接続されているか否かの確認がなされ、圧縮エンコードパケット映像信号である映像音声信号の送信が行われる。続いて工程２０２に進む。
【００４９】
工程２０２においては、タッチジェスチャー操作動作実行工程が実行される。前記少なくとも１つのユーザー端の前記各ユーザーデバイス２及び２ａは、使用者がタッチジェスチャーにより前記少なくとも１つのユーザー端の前記各ユーザーデバイス２ａ及び／または２の操作制御を行うことでデバイス操作が実行されると共にデバイス操作１４０の操作情報が生成され、工程２０３に進む。
【００５０】
続いて、工程２０３において、映像音声表示動作実行工程が実行される。前記情報受信端の前記情報受信装置３は無線方式により、前記少なくとも１つのユーザー端の前記各ユーザーデバイス２及び２ａから出力される映像音声信号を受信する。情報受信端の情報受信装置３が前記ユーザーデバイス２ａのデバイス操作１４０の操作情報を受信すると、前記ユーザーデバイス２ａから出力される映像音声信号に対する解凍処理が行われ、解凍処理された映像音声信号が表示装置４に出力されると共に、他のユーザーデバイス２の操作情報が受信されるまで前記表示装置４で表示され、且つ前記他のユーザーデバイス２から出力される映像音声信号に対する解凍処理が行われ、解凍処理された映像音声信号が前記表示装置４に出力されて表示され、使用者が相互にタッチ操作を行うことにより無線映像音声情報の共有が可能となる。
【００５１】
なお、図５Ａ〜図５Ｃは図３に示す本発明の一実施形態の無線映像音声情報共有システムを実行する状況を説明する概略図である。前記図５Ａ〜図５Ｃに示されるように、ユーザーデバイス２、２ａ、２ｃは多機能デジタルメディアプレーヤー、ノートパソコン等にそれぞれ接続されて映像音声信号を出力する。表示装置４はフラットディスプレイである。
【００５２】
図５Ａは受信端の情報受信装置３が無線方式でＤＶＤプレーヤー、ノートパソコン等の送信端に接続されるユーザーデバイス２のうちの１つの映像音声信号を受信して表示装置４に出力することについて説明する概略図である。
【００５３】
また、図５Ｂは受信端の情報受信装置３がユーザーデバイス２ａのデバイス操作１４０の操作情報を受信し、ノートパソコンに接続されるユーザーデバイス２ａの映像音声信号を表示装置４に出力することについて説明する概略図である。
【００５４】
ここで、情報受信装置３が前記ユーザーデバイス２ａから出力される映像音声信号を受信する。情報受信装置３が前記ユーザーデバイス２ａの操作情報１４０を受信すると、前記ユーザーデバイス２ａから出力される映像音声信号に対する解凍処理が行われ、且つ解凍処理された映像音声信号が表示装置４に出力されると共に前記表示装置４で表示される。
【００５５】
また、図５Ｃはユーザーデバイス２ａの操作完了後、受信端の情報受信装置３が前記ユーザーデバイス２ｃのデバイス操作１５０の操作情報を受信することについて説明する概略図である。
【００５６】
ここで、情報受信装置３が前記他のユーザーデバイス２ｃのデバイス操作１５０の操作情報を受信すると共に、前記他のユーザーデバイス２ｃから出力される映像音声信号に対する解凍処理を行い、解凍処理された映像音声信号を前記表示装置４に出力して表示し、使用者が相互にタッチ操作を行うことにより無線映像音声情報の共有が可能となる。
【００５７】
実際の実施において、映像音声信号は音声信号、画像、或いは映像音声番組等の信号でもよい。また、図５Ｃに示されるように、使用者が片手でユーザーデバイス２ｃの透光性の外ケースに触れると、タッチジェスチャー／感知制御モジュール２１により使用者のタッチジェスチャーが感知される。換言すれば、使用者がタッチジェスチャーによりユーザーデバイス２ｃの操作制御を行ってデバイス操作を実行し、タッチジェスチャー（touch）によるタッチ操作で映像音声情報の共有（share）という目的を達成させる。
【００５８】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００５９】
２      ユーザーデバイス
２ａ    ユーザーデバイス
２ｃ    ユーザーデバイス
３      情報受信装置
４      表示装置
５      タッチジェスチャー
２１    タッチジェスチャー／感知制御モジュール
２２    映像音声受信モジュール
２３    映像圧縮／パケット化モジュール
２４    無線送信モジュール
３１    無線受信モジュール
３２    パケット処理／映像解凍モジュール
３３    映像音声出力モジュール
１０１  工程
１０２  工程
１０３  工程
１４０  デバイス操作
１５０  デバイス操作
２０１  工程
２０２  工程
２０３  工程
【図１】
2020102828.tif 000003
【図２】
2020102828.tif 000004
【図３】
2020102828.tif 000005
【図４】
2020102828.tif 000006
【図５Ａ】
2020102828.tif 000007
【図５Ｂ】
2020102828.tif 000008
【図５Ｃ】
2020102828.tif 000009